(57)【要約】【課題】幅方向の両端部を屈曲し易くして保温性の向上を図るようにした掛け布団を提供することにある。【解決手段】上布団１２と、上布団よりも幅寸法が小さく、上布団の下面の幅方向の中央部分に上面の幅方向中央部分を連結して設けられる下布団１３と、上布団の少なくとも幅方向の両端部に、幅方向と交差する長手方向に沿って設けられ幅方向の両端部を屈曲し易くするキルティングライン１９を具備する。【選択図】      図２
2018121953.tif 000002
【特許請求の範囲】
【請求項１】
仰臥した利用者を覆う掛け布団であって、
上布団と、
この上布団よりも幅寸法が小さく、前記上布団の下面の幅方向の中央部分に上面の幅方向中央部分を連結して設けられる下布団と、
前記上布団の少なくとも幅方向の両端部に、前記幅方向と交差する長手方向に沿って設けられ前記幅方向の両端部を屈曲し易くするキルティングラインと
を具備したことを特徴とする掛け布団。
【請求項２】
前記上布団は上布団本体及びこの上布団本体を収容した上布団カバーから構成され、前記下布団は下布団本体及びこの下布団本体を収容した下布団カバーから構成されていて、
前記上布団カバーと前記下布団カバーが着脱可能に連結されていることを特徴とする請求項１記載の掛け布団。
【請求項３】
前記上布団カバーの長手方向の一端部で、幅方向の少なくとも一端部の上面には、前記利用者が手を掛けるための手掛け部が設けられていることを特徴とする請求項１記載の掛け布団。
【請求項４】
幅方向の両側に側柵を有するベッドに横臥した利用者を覆う掛け布団であって、
幅寸法が前記ベッドの幅寸法よりも大きく形成された上布団と、
幅寸法が前記上布団の幅寸法よりも小さく形成され、前記上布団の下面の幅方向の中央部分に上面の幅方向中央部分を連結して設けられる下布団と、
前記上布団の少なくとも幅方向の両端部に、前記幅方向と交差する長手方向に沿って設けられ前記幅方向の両端部を屈曲し易くするキルティングラインと
を具備したことを特徴とする掛け布団。
【請求項５】
仰臥した利用者を覆う掛け布団であって、
前記掛け布団の上面の長手方向の一端部には、前記利用者が手を掛けるための手掛け部が設けられていることを特徴とする掛け布団。
【請求項６】
前記手掛け部は手掛け部材を有し、この手掛け部材は前記掛け布団に対して着脱可能に設けられていることを特徴とする請求項５記載の掛け布団。
【発明の詳細な説明】
【技術分野】
【０００１】
この発明は側柵を有する介護用のベッドに好適する掛け布団に関する。
【背景技術】
【０００２】
就寝時などに利用者が掛け布団を掛けて利用した場合、前記掛け布団の上端と、利用者の身体の、とくに襟元の部分に隙間が生じ易いということがある。しかも、その隙間は利用者が寝返りを打って寝姿勢を上向きから横向きに変えた場合にはさらに大きくなるから、前記隙間によって前記掛け布団による保温性が大幅に低下するということがある。
【０００３】
そこで、前記掛け布団を、上布団と、この上布団よりも幅寸法が小さく形成され前記上布団の下側にこの上布団と一体的に設けられた下布団によって構成することが提案されている。
【０００４】
このような構成の掛け布団によれば、前記上布団と前記下布団との二層構造であること、利用時には幅寸法の小さな前記下布団が前記上布団よりも大きく湾曲して垂れ下がり易いために利用者の身体を覆い易くなることなどによって保温性の向上を図ることができるということがある。
【先行技術文献】
【特許文献】
【０００５】
【特許文献１】特許第３０１４６５７号公報
【発明の概要】
【発明が解決しようとする課題】
【０００６】
ところで、図１２に示すように上述した構成の掛け布団１を、幅方向の両側に側柵２を有する介護用のベッド３に用い、ベッド３上に仰臥する利用者Ｕに前記掛け布団１を掛けたとき、その掛け布団１の上布団１ａの幅方向の両端部が前記側柵２の上端部に乗り上げた状態になり易いということがある。
【０００７】
その場合、前記掛け布団１の下布団１ｂは利用者Ｕの身体を覆うものの、上布団１ａは両端部が前記側柵によって持ち上げられたままの状態となり、利用者Ｕの身体を良好に覆わない状態となるから、掛け布団１の二層構造の利点が発揮できず、保温性が低下するということになる。
【０００８】
さらに、前記上布団１ａの幅方向の両端部が前記側柵２の上端部に乗り上げた状態で、図１２に示すように利用者Ｕが上向きの状態から、横向きになる状態に寝返りを打つと、前記上布団１ａの幅方向の一端部は側柵２からずれ落ちて利用者Ｕの身体を覆うものの、他端部側は側柵２上に乗り上げた状態のままになるから、その場合も良好な保温性が得られないということになる。
【０００９】
この発明は、上布団と下布団との二層構造の掛け布団において、上布団の幅方向の両端部を屈曲し易くすることで、前記上布団の幅方向の両端部がベッドの側柵に乗り上げた状態になり難くいようにした掛け布団を提供することにある。
【課題を解決するための手段】
【００１０】
請求項１の発明は、仰臥した利用者を覆う掛け布団であって、
上布団と、
この上布団よりも幅寸法が小さく、前記上布団の下面の幅方向の中央部分に上面の幅方向中央部分を連結して設けられる下布団と、
前記上布団の少なくとも幅方向の両端部に、前記幅方向と交差する長手方向に沿って設けられ前記幅方向の両端部を屈曲し易くするキルトと
を具備したことを特徴とする掛け布団にある。
【００１１】
請求項４の発明は、幅方向の両側に側柵を有するベッドに横臥した利用者を覆う掛け布団であって、
幅寸法が前記ベッドの幅寸法よりも大きく形成された上布団と、
幅寸法が前記上布団の幅寸法よりも小さく形成され、前記上布団の下面の幅方向の中央部分に上面の幅方向中央部分を連結して設けられる下布団と、
前記上布団の少なくとも幅方向の両端部に、前記幅方向と交差する長手方向に沿って設けられ前記幅方向の両端部を屈曲し易くするキルティングラインと
を具備したことを特徴とする掛け布団にある。
【００１２】
請求項５の発明は、仰臥した利用者を覆う掛け布団であって、
前記掛け布団の上面の長手方向の一端部の、幅方向両端部のうちの少なくとも一方には、前記利用者が手を掛けるための手掛け部が設けられていることを特徴とする掛け布団にある。
【発明の効果】
【００１３】
請求項１と請求項４の発明によれば、上布団の幅方向の少なくとも両端部に長手方向に沿うキルティングラインを設け、その幅方向の両端部を屈曲し易くしたから、ベッドに仰臥した利用者に掛け布団を掛けたとき、その上布団の両端部がベッドの側柵の上端に掛かっても、その両端部は屈曲し易いため、側柵の上端部に掛かったままの状態になるのが防止される。
【００１４】
そのため、上布団は利用者の身体を確実に覆うことになるから、掛け布団による保温性が低下するのを防止することができる。
【００１５】
請求項５の発明によれば、掛け布団の上面の長手方向の一端部の、幅方向の両端部には、利用者が手を掛けるための手掛け部を設けた。  
そのため、握力が弱いなど手指が不自由な利用者であっても、前記手掛け部に手を差し込んで、身体に掛けられた掛け布団を引き上げるなどのことをすることができる。
【図面の簡単な説明】
【００１６】
【図１】この発明の一実施の形態を示す掛け布団の組立図。
【図２】前記掛け布団を構成する上布団の平面図。
【図３】同じく下布団の平面図。
【図４】前記上布団を収容する上布団カバーの上面側を示す平面図。
【図５】前記下布団を収容する下布団カバーの上面側を示す平面図。
【図６】上布団の一部の拡大断面図。
【図７】下布団の一部の拡大断面図。
【図８】図８（ａ）は上布団カバーに手掛け部材が取付けられた図、図８（ｂ）は手掛け部材の取付け位置を他の位置に代えた図。
【図９】ベッド上に仰臥した利用者に掛け布団を掛けた状態を示す説明図。
【図１０】掛け布団が掛けられた利用者が横向きに寝返りを打った状態を示す説明図。
【図１１】従来の掛け布団をベッド上に仰臥する利用者に掛けた状態を示す説明図。
【図１２】従来の掛け布団が掛けられたベッドの利用者が横向きに寝返りを打った状態を示す説明図。
【発明を実施するための形態】
【００１７】
以下、この発明の一実施の形態を図１乃至図１０を参照しながら説明する。  
図１に示す掛け布団１１は上布団１２と下布団１３を有する。前記上布団１１は図２に示す上布団本体１４と、図４に示す前記上布団本体１４を収容する上布団カバー１５によって構成されている。前記上布団本体１４は布地がたとえばシングルサイズの幅寸法（１５００ｍｍ）を有する袋状に縫製され、その内部には図６に示すように羽毛などの保温材１４ａが充填されている。
【００１８】
前記上布団１１には、前記上布団本体１４の内部空間を複数の空間部に隔別するために、図２に示すようにキルティングライン１６が格子状に施されている。つまり、前記上布団本体１４には、長手方向に沿う複数の前記キルティングライン１６と、幅方向に沿う複数の前記キルティングライン１６が設けられている。
【００１９】
前記上布団本体１４の長手方向（縦方向）に沿う複数の前記キルティングライン１６は、前記上布団本体１４の幅方向（横方向）に所定間隔で設けられ、幅方向外側の一対の前記キルティングライン１６は前記上布団本体１４の幅方向の両端部に設けられている。
【００２０】
前記上布団本体１４にキルティングライン１６を設けることで、この上布団本体１４を有する前記上布団１１は、前記キルティングライン１６の箇所で上下方向に屈曲し易い状態となる。とくに、前記上布団１１の幅方向の両端部に前記キルティングライン１６が設けられていることで、前記上布団１１の幅方向の両端部が長手方向全長にわたって上下方向に屈曲し易い状態となっている。
【００２１】
なお、図２では前記キルティングライン１６を前記上布団本体１４の幅方向に対してほぼ等間隔で設けるようにしたが、幅方向両端部に行くにつれて前記キルティングライン１６の間隔と小さくして設けるようにしてもよい。そうすれば、前記上布団本体１４の幅方向の両端部を、さらに上下方向に屈曲し易い状態とすることができる。
【００２２】
前記下布団１３は図３に示す下布団本体１７と、図５に示す前記下布団本体１７を収容する下布団カバー１８によって構成されている。前記下布団本体１７は布地を前記上布団本体１４の幅寸法よりも小さな幅寸法で、シングルベッドの幅寸法と同等或いはわずかに小さな幅寸法、たとえば１１００ｍｍの幅寸法を有する袋状に縫製され、その内部には図７に示すように羽毛などの保温材１７ａが充填されている。
【００２３】
前記下布団１３には、前記下布団本体１７の内部空間を複数の空間部に隔別するために、図３に示すようにキルティングライン１９が格子状に施されている。つまり、前記下布団本体１７には、長手方向に沿う複数の前記キルティングライン１９と、幅方向に沿う複数の前記キルティングライン１９が設けられている。
【００２４】
前記下布団本体１７にキルティングライン１９を設けることで、この下布団本体１７を有する前記下布団１３は前記キルティングライン１９の箇所で上下方向に屈曲し易い状態となっている。
【００２５】
図４に鎖線で示すように、前記上布団１２の下面となる前記上布団カバー１５の面には、その面の幅方向中央部分に、左右一対のオスホック２２が長手方向に沿って所定間隔で設けられている。
【００２６】
図５に示すように、前記下布団１３の上面となる前記下布団カバー１８の面には、その面の幅方向中央部分に、前記オスホック２２に対応して左右一対のメスホック２３が長手方向に沿って所定間隔で設けられている。
【００２７】
そして、前記オスホック２２に前記メスホック２３を係着させることで、前記上布団１２に前記下布団１３を着脱可能に連結することができる。つまり、前記オスホック２２と前記メスホック２３とで前記上布団１２に前記下布団１３を着脱可能に連結する連結手段を構成している。連結手段としてはホックに限られず、面状ファスナーなど、他の手段であっても差し支えない。
【００２８】
さらに、図４と図５に示すように前記上布団１２と、前記下布団１３との利用者の頭部側となる長手方向の一端部には、それぞれ複数本、この実施の形態ではそれぞれ３本の連結紐２４ａ，２４ｂが一端を各布団カバー１５，１８に連結して延出されている。
【００２９】
そして、前記上布団１２の下面に前記下布団１３の上面を前記ホック２２，２３によって連結した後、各連結紐２４ａ，２４ｂを結ぶことで、前記上布団１２と前記下布団１３の一端部側がずれ動かないよう連結することができるようになっている。
【００３０】
図４に示すように、前記上布団１２の上布団カバー１５の上面の、利用者の頭部側となる長手方向の一端部の幅方向の両端部には、それぞれ利用者が手を掛けて前記掛け布団１１を上下方向に動かすためなどに用いられる手掛け部２６が設けられている。
【００３１】
図８（ａ），（ｂ）に示すように前記手掛け部２６は布地や樹脂などのシート状の材料によって所定長さの帯状に形成された手掛け部材２７を有する。この手掛け部材２７の両端部にはオスホック２８が設けられている。
【００３２】
前記上布団カバー１５の上面の長手方向の一端部の幅方向の両端部には、４つのメスホック２９が千鳥状に設けられている。図８（ａ），（ｂ）に示すように、前記上布団カバー１５の幅方向に離間する一対のメスホック２９の３箇所の間隔ｄは、前記手掛け部材２７に設けられた一対の前記オスホック２８の間隔と同等或いはわずかに小さく設定されている。
【００３３】
それによって、前記手掛け部２６の手掛け部材２７は、図８（ａ）、（ｂ）に実線で示す位置或いは図８（ｂ）に鎖線で示す位置に着脱可能に取り付けることができるようになっている。つまり、前記手掛け部材２７は取り付け位置の変更可能に設けられている。
【００３４】
前記上布団１２の前記上布団カバー１５に一対の前記手掛け部２６を設けることで、後述するようにベッド３に仰臥した利用者Ｕ（図９に示す）が前記手掛け部材２７と前記上布団カバー１５との間に手を差し込むことで、前記上布団１２を引き上げることができる。
【００３５】
つまり、手指が不自由で、握力がないなどの利用者Ｕであっても、前記手掛け部材２７を利用して前記上布団１２を引っ張り、利用者Ｕに対する掛け位置を変えることができる。
【００３６】
しかも前記手掛け部材２７は前記上布団カバー１５に対する取付け位置を変更することができるから、取付け位置を利用者Ｕの使い易い位置にすることができるばかりか、洗濯時などには前記上布団カバー１５から取り外すこともできる。
【００３７】
なお、上述した一実施の形態では前記手掛け部２６は、前記オスホック２８を有する前記手掛け部材２７及び前記上布団カバー１５に設けたメスホック２９によって構成したが、前記上布団カバー１５の幅方向両端部に、前記上布団カバー１５と一体的に布地を袋状などの手を掛けることができる形状に形成して手掛け部材としてもよい。また、ホックに代わり面状ファスナーを用いて前記手掛け部材２７を前記上布団カバー１５に着脱可能に設けるようにしてもよい。
【００３８】
上述した構成の掛け布団１１は、たとえば図９に示すように側柵２を有するシングルのベッド３で用いられる。前記掛け布団１１の上布団１２は保温性の向上を図るため、ベッド３の幅寸法よりも大きな幅寸法に形成されている。
【００３９】
そのため、前記ベッド３に仰臥した利用者Ｕに前記掛け布団１１を掛けるとき、その上布団１２の幅方向の両端部が前記側柵２の上端に掛かることがある。従来では図１１に示すように、掛け布団１の幅方向の両端部が前記側柵２の上端に掛かった状態のままとなることがあるため、上布団１ａと下布団１ｂとの間に隙間が生じ、利用者Ｕに対する保温性が低下するということがあった。
【００４０】
これに対し、この発明の前記掛け布団１１の上布団１２には、少なくとも幅方向の両端部にキルティングライン１９を設け、このキルティングライン１９によって前記掛け布団１１の幅方向の両端部を屈曲し易い状態にしている。
【００４１】
そのため、前記ベッド３に仰臥した利用者Ｕに前記掛け布団１１を掛けるとき、その上布団１２の幅方向の両端部が前記側柵２の上端に当たると、その両端部は上方に屈曲し易いため、前記側柵２の上端に掛かった状態のままになるのが防止され、前記ベッド３の上面に落下する。
【００４２】
その結果、図９に示すように前記上布団１２と前記下布団１３との間に隙間が生じるのが防止されるから、前記掛け布団１１による保温性が低下するということがない。
【００４３】
つまり、たとえば介護者がベッド３上の利用者Ｕに前記掛け布団１１を掛ける際、その状態を介護者が確認し忘れたり、確認を怠るようなことがあっても、前記上布団１２は利用者Ｕを確実に覆うことになるから、保温性の低下を招くことのない状態となる。
【００４４】
前記上布団１２の幅方向の両端部が図９に示すように前記側柵２の上端からずり落ちた状態にあれば、その状態でベッド３上の利用者Ｕが図１０に示すように寝返りを打ったとき、前記上布団１２の寝返り方向の幅方向の一端部が浮き上がった状態のままになるということがないから、前記上布団１２による良好な保温性が維持される。
【００４５】
前記上布団１２の前記上布団カバー１５の幅方向両端部にはそれぞれ手掛け部２６が設けられている。そのため、ベッド３に仰臥した利用者Ｕの手指が不自由であっても、一対の前記手掛け部２６の手掛け部材２７に両手の手首をそれぞれ差し込むことで、前記上布団１２を容易に引き上げることができる。
【００４６】
つまり、前記掛け布団１１がベッド３上に仰臥した利用者Ｕの身体の下方へづれているような場合、手指が不自由な利用者Ｕであっても、介護者の手を煩わすことなく、前記掛け布団１１を比較的容易に引き上げることができる。
【００４７】
なお、上述した実施の形態では、掛け布団は側柵を有するベッドに用いることを例に挙げて説明したが、ベッドでない寝具、たとえば畳の上に敷かれた布団などの寝具で寝る場合であっても、利用することができる。
【００４８】
その場合、掛け布団の上布団の幅方向の両端部が下方に折れ曲がり易いことによって、その幅方向の両端部が畳などの寝具の上面に隙間が生じ難い状態で接触するから、そのことによって保温性を高めることができる。
【００４９】
また、上布団に設けられる手掛け部材の両端をホックによって取付けるようにしたが、一方をホックによって着脱可能とし、他方を上布団カバーに逢着してもよい。
【００５０】
また、実施の形態では上布団カバーと下布団カバーとをホックによって着脱可能に連結した構成を例に挙げて説明したが、前記上布団カバーと下布団カバーとは一体的に縫製した構造であっても差し支えない。そのような構成によれば、使用中に下布団が上布団から外れて落下するのを防止することができる。
【００５１】
また、手掛け部は掛け布団の上面の長手方向一端部の幅方向の両端部にそれぞれ設ける場合を例に挙げて説明したが、手掛け部は幅方向の両端部以外の箇所に２つあるいは中央部分に１つ設けるようにしてもよく、要はその数や設ける位置は限定されるものではない。
【符号の説明】
【００５２】
２…側柵、３…ベッド、１１…掛け布団、１２…上布団、１３…下布団、１４…上布団本体、１５…上布団カバー、１６…キルティングライン、１７…下布団本体、１８…下布団カバー、２６…手掛け部、２７…手掛け部材。
【図１】
2018121953.tif 000003
【図２】
2018121953.tif 000004
【図３】
2018121953.tif 000005
【図４】
2018121953.tif 000006
【図５】
2018121953.tif 000007
【図６】
2018121953.tif 000008
【図７】
2018121953.tif 000009
【図８】
2018121953.tif 000010
【図９】
2018121953.tif 000011
【図１０】
2018121953.tif 000012
【図１１】
2018121953.tif 000013
【図１２】
2018121953.tif 000014